(57)【要約】      （修正有）【課題】部屋の中の電気製品の邪魔なコードをまとめるクッション付き挟み具を提供する。【解決手段】挟み具１は紙等を挟む公知の金属製のクリップで、一対の挟み部２とつまみ部３とバネからなり、つまみ部３に力を加えることでバネが動き挟み部２の開閉部４が二方向に分かれて開くものである。それぞれの挟み部２の内側に弾性を有するスポンジ製のクッション５を接着剤や両面粘着テープ等で接着固定する。挟み具の挟み部の内側に弾性を有するクッションが設けられているので、束ねたコードの太さに順応して、コードを傷めることもなく使用可能範囲が広くなる。【選択図】図１
2019135414.tif 000002
【特許請求の範囲】
【請求項１】
挟み具の挟み部の内側にクッションを固定して設けたことを特徴とするクッション付き挟み具。
【請求項２】
挟み具の挟み部のそれぞれの内側にクッションを接着固定して設けたことを特徴とするクッション付き挟み具。
【発明の詳細な説明】
【技術分野】
【０００１】  本発明は、部屋の中のテレビやパソコン等の電気製品の邪魔になるコードを挟んでまとめるためのクッション付き挟み具に関するものである。
【背景技術】
【０００２】  従来、部屋の中のテレビやパソコン等の電気製品のコードは、複数本出ていると一本一本がバラバラになってまとまらず、部屋の中が乱雑になったり、長すぎると、足を引っかけたりして危なかった。【０００３】  そのため、紙等を挟むクリップで挟んでまとめていた。
【発明の概要】
【発明が解決しようとする課題】
【０００４】  これには、次のような欠点があった。
まとめたコードの束の太さよりクリップの方が小さい時は使えなかったり、無理に使うと、強く締め付けてしまうのでコードを傷めてしまったりした。【０００５】  また、クリップの方が大きい時は、保持する効果が得られないので、畳んで挟んだコードがすり抜けて戻ってしまったりした。
本発明は、これらの問題点を解決するためになされたものである。
【課題を解決するための手段】
【０００６】  紙を挟むクリップ等の挟み具の挟み部の内側に、弾性を有するクッションを固定して設けたものである。【０００７】  紙を挟むクリップ等の挟み具の挟み部のそれぞれの内側に、弾性を有するクッションを接着剤や両面粘着テープ等で接着固定して設けたものである。
本発明は、以上を特徴とするクッション付き挟み具である。
【発明の効果】
【０００８】  挟み具の挟み部の内側に弾性を有するクッションが設けられているので、束ねたコードの太さに順応して、コードを傷めることもなく使用可能範囲が広く、便利である。【０００９】  また、部屋の中で乱雑になるコードがまとまるので、部屋が整理整とんされ、邪魔なコードに足を引っかけたりする危険を防ぐことができる。
【図面の簡単な説明】
【００１０】
【図１】  本発明の実施例１の側面図
【図２】  本発明の実施例２の側面図
【図３】  本発明の実施例３の側面図
【図４】  本発明の実施例４の側面図
【図５】  本発明の実施例４の使用正面図
【図６】  本発明の実施例５の側面図
【図７】  本発明の実施例５の正面図
【図８】  本発明の実施例６の側面図
【図９】  本発明の実施例７の側面図
【図１０】  本発明の実施例７の平面図
【図１１】  本発明の実施例８の側面図
【図１２】  本発明の実施例８の分解図
【図１３】  本発明の実施例９の側面図
【図１４】  本発明の実施例９の一部切り欠き正面図
【発明を実施するための形態】
【００１１】  以下、本発明の幾つかの実施の形態を図１〜図１４に基づいて説明する。
【実施例１】
【００１２】  図１において、挟み具１は紙等を挟む公知の金属製のクリップで、一対の挟み部２とつまみ部３とバネ（図示せず）からなり、つまみ部３に力を加えることでバネが動き挟み部２の開閉部４が二方向に分かれて開くものである。【００１３】  それぞれの挟み部２の内側に弾性を有するスポンジ製のクッション５を接着剤や両面粘着テープ等で接着固定する。【００１４】  本発明を使用するときは、つまみ部３をつまんで力を加え、挟み部２の開閉部４を開いて電気製品の邪魔なコードを束ねるようにして挟み込む。
スポンジ製のクッション５は滑り止め効果もあるので、紙や筆記具等もしっかり挟んで保持することができる。
【実施例２】
【００１５】  図２において、実施例１のうち、両側のクッション５の開閉部４を凹凸形状にしたものである。
【実施例３】
【００１６】  図３において、実施例１のうち、クッション５の開閉部４に、挟み込んだコードと平行方向になるようなすき間６を設けたものである。
【実施例４】
【００１７】  図４、図５において、実施例１のうち、両側の挟み部２を枠形状にし、クッション５の開閉部４に、挟み込んだコード１１と平行方向になるような複数のすき間６を設けたものである。
【実施例５】
【００１８】  図６、図７において、実施例１のうち、両側の挟み部２を櫛形状にし、両側のクッション５の、開閉部４とは反対部分にすき間６を設けたものである。
【実施例６】
【００１９】  図８において、挟み具１は二枚の平らな金属板が角度を変えて組み合わされた紙等を挟む公知のクリップで、一方の外面に磁石７が固着されている。
両側の挟み部２の内側に弾性を有するクッション５が接着剤や両面粘着シート等で接着固定されている。
磁石７の代わりに吸盤等でもよい。
【実施例７】
【００２０】  図９、図１０において、挟み具１はプラスチック製で、挟み部２は開閉部４を開閉した時にしなる連結部８により連結されている。
連結部８と反対側の一方の挟み部２には凸部９と、もう一方の挟み部２には凹部１０が設けられており、凸部９を凹部１０にはめ込むことで閉まる。【００２１】  それぞれの挟み部２には、開閉部４とは反対側にすき間６を設けて弾性を有するスポンジ製のクッション５が接着剤や両面粘着シート等で接着固定して設けられている。【００２２】  連結部８はヒンジ等でもよく、閉め方もどのような方法でもよい。
【実施例８】
【００２３】  図１１、図１２において、実施例７のうち、連結部８の代わりに凸部９と凹部１０を設けたもので、挟み部２は完全に二つに分離できる。
また、クッション５はそれぞれの挟み部２の内側全面に、接着剤や両面粘着テープ等で接着固定されており、一方のクッション５の開閉部４には、挟み込んだコード１１と平行方向になるようなすき間６が設けられている。
【実施例９】
【００２４】  図１３、図示１４において、実施例１のうち、クッション５をスポンジ製の代わりに弾性を有する平面状のゴム製にしたもので、クッション５は上端と下端が接着剤や両面粘着テープ等でそれぞれの挟み部２の内側に接着固定されており、開閉部４とは反対部分にすき間６が設けられている。【００２５】  以上、幾つかの実施例を示したが、挟み具やクッション等の素材や形状や大きさは上記実施例に限らず、どのようなものでもよい。
【符号の説明】
【００２６】  １    挟み具
２    挟み部
３    つまみ部
４    開閉部
５    クッション
６    すき間
７    磁石
８    連結部
９    凸部
１０  凹部
１１  コード
【図１】
2019135414.tif 000003
【図２】
2019135414.tif 000004
【図３】
2019135414.tif 000005
【図４】
2019135414.tif 000006
【図５】
2019135414.tif 000007
【図６】
2019135414.tif 000008
【図７】
2019135414.tif 000009
【図８】
2019135414.tif 000010
【図９】
2019135414.tif 000011
【図１０】
2019135414.tif 000012
【図１１】
2019135414.tif 000013
【図１２】
2019135414.tif 000014
【図１３】
2019135414.tif 000015
【図１４】
2019135414.tif 000016